(57)【要約】【課題】セキュリティを保持しながら、生体情報の登録作業による登録者の負担を軽減することができるエレベータの呼び登録装置を提供する。【解決手段】エレベータ１を利用する利用者の生体情報を記憶する記憶部７ａと、生体情報の登録を指示する入力操作を受け付ける登録操作部６と、利用者から生体情報を読み取る情報読取部７ｂと、登録操作部６に対する入力操作により生体情報の登録が指示されたか否かを判断する手段と、情報読取部７ｂによる第１の読み取りにより読み取られた生体情報が、記憶部７ａに記憶された生体情報と一致するか否かを判断する手段と、登録が指示されたと判断した場合であって、第１の読み取りにより読み取られた生体情報が、記憶部７ａに記憶された生体情報と一致すると判断した場合、情報読取部７ｂによる第２の読み取りにより読み取られた生体情報を記憶部７ａに登録する手段とを備える。【選択図】図１
2008050067.tif 000002
【特許請求の範囲】
【請求項１】
エレベータを利用する利用者の生体情報を記憶する記憶部と、
前記生体情報の登録を指示する入力操作を受け付ける登録操作部と、
前記利用者から前記生体情報を読み取る情報読取部と、
前記登録操作部に対する前記入力操作により前記生体情報の登録が指示されたか否かを判断する手段と、
前記情報読取部による第１の読み取りにより読み取られた前記生体情報が、前記記憶部に記憶された前記生体情報に一致するか否かを判断する手段と、
前記生体情報の登録が指示されたと判断した場合であって、前記第１の読み取りにより読み取られた前記生体情報が、前記記憶部に記憶された前記生体情報に一致すると判断した場合、前記情報読取部による第２の読み取りにより読み取られた前記生体情報を前記記憶部に登録する手段と、
を備えることを特徴とするエレベータの呼び登録装置。
【請求項２】
前記記憶部は、前記生体情報に関連付けられた情報であって前記利用者が利用する利用階を示す利用階情報を記憶し、
前記記憶部に登録する手段は、前記第１の読み取りにより読み取られた前記生体情報に関連する前記利用階情報と前記第２の読み取りにより読み取られた前記生体情報とを関連付けて前記記憶部に登録することを特徴とする請求項１記載のエレベータの呼び登録装置。
【請求項３】
前記記憶部は、前記生体情報に関連付けられた情報であって前記生体情報の登録の可否を示す登録可否情報を記憶し、
前記記憶部に登録する手段は、前記第１の読み取りにより読み取られた前記生体情報に関連する前記登録可否情報が登録可であるか否かを判断し、前記登録可否情報が登録可であると判断した場合、前記第２の読み取りにより読み取られた前記生体情報を前記記憶部に登録することを特徴とする請求項１記載のエレベータの呼び登録装置。
【請求項４】
前記記憶部に登録する手段は、前記第１の読み取りにより読み取られた前記生体情報に関連する前記登録可否情報と前記第２の読み取りにより読み取られた前記生体情報とを関連付けて前記記憶部に登録することを特徴とする請求項３記載のエレベータの呼び登録装置。
【請求項５】
前記記憶部に登録する手段は、前記第１の読み取りにより読み取られた前記生体情報に関連付けて、前記第２の読み取りにより読み取られた前記生体情報を前記記憶部に登録することを特徴とする請求項１記載のエレベータの呼び登録装置。
【請求項６】
前記記憶部に登録する手段は、前記第２の読み取りにより読み取られた前記生体情報に関連付けて、前記第２の読み取りにより読み取られた前記生体情報の登録履歴に関する履歴情報を前記記憶部に登録することを特徴とする請求項１記載のエレベータの呼び登録装置。
【請求項７】
前記記憶部に登録する手段は、前記第１の読み取りにより読み取られた前記生体情報を有する前記利用者が管理者であるか否かを判断し、前記利用者が管理者であると判断した場合、登録可を示す登録可否情報と前記第２の読み取りにより読み取られた前記生体情報とを関連付けて前記記憶部に登録し、前記利用者が管理者でないと判断した場合、登録否を示す登録可否情報と前記第２の読み取りにより読み取られた前記生体情報とを関連付けて前記記憶部に登録することを特徴とする請求項１記載のエレベータの呼び登録装置。
【請求項８】
前記記憶部は、前記生体情報に関連付けられた情報であって前記利用者が利用する利用階を示す利用階情報を記憶し、
前記記憶部に登録する手段は、前記第１の読み取りにより読み取られた前記生体情報に関連する前記利用階情報に関連付けて、前記第２の読み取りにより読み取られた前記生体情報を前記記憶部に登録することを特徴とする請求項１記載のエレベータの呼び登録装置。
【請求項９】
前記情報読取部は、前記エレベータが備える乗りかごに設けられており、
前記登録操作部は、前記乗りかごに設けられ前記乗りかごの行先階を指定する行先階ボタンであることを特徴とする請求項１ないし８のいずれか一に記載のエレベータの呼び登録装置。
【請求項１０】
前記情報読取部は、前記エレベータの乗場に設けられており、
前記登録操作部は、前記乗場に設けられ前記乗りかごを呼び出す呼出階ボタンであることを特徴とする請求項１ないし８のいずれか一に記載のエレベータの呼び登録装置。
【発明の詳細な説明】
【技術分野】
【０００１】
本発明は、エレベータの呼び登録装置に関する。
【背景技術】
【０００２】
近年、防犯を目的として、利用者を認証する認証装置をエレベータに設ける事例が増えてきている。この認証装置を備えるエレベータの呼び登録装置は、認証装置により利用者の個人認証を行い、利用者を特定することができた場合だけ、呼び登録を許可し、エレベータの利用を可能とする。
【０００３】
認証装置による個人認証としては、指紋、静脈又は顔等の個人の生体情報を認証に用いるバイオメトリクス認証（生体認証）が用いられている。この生体情報を用いる認証装置では、生体情報の登録に利用者が参加する必要があり、さらに、この生体情報の登録とともに、管理用の管理情報を更新する必要がある。このため、管理者が生体情報の登録及び管理情報の更新等を全て行う必要があり、登録対象となる利用者が増えるにつれて、管理者の負担が増加してしまう。
【０００４】
これを解決するため、利用者が鍵を用いて自分で指紋データを登録する呼び登録装置が提案されている（例えば、特許文献１参照）。この呼び登録装置では、利用者に鍵を渡し、その鍵により利用者は指紋データを登録する。また、エレベータの乗りかご内の行先階ボタンに対する複雑な操作により指紋データを登録する呼び登録装置が提案されている（例えば、特許文献２参照）。この呼び登録装置では、利用者は行先階ボタンに対する複雑な操作を覚え、その操作を行うことによって指紋データを登録する。
【特許文献１】特開２００６−１３６４６号公報
【特許文献２】特開平１１−２８６３７８号公報
【発明の開示】
【発明が解決しようとする課題】
【０００５】
しかしながら、前述の鍵を用いる呼び登録装置では、利用者に鍵を渡す必要があるため、鍵の盗難等の問題があり、セキュリティは低下してしまう。また、前述の行先階ボタンに対する複雑な操作を用いる装置では、登録操作が複雑で難しいため、その登録操作は登録者にとって大きな負担となっている。さらに、一度、登録操作を覚えてしまえば、登録操作が登録資格の有無に関係なく可能になるため、セキュリティは低下してしまう。
【０００６】
本発明は、上記に鑑みてなされたものであり、その目的は、セキュリティを保持しながら、生体情報の登録作業による登録者の負担を軽減することができるエレベータの呼び登録装置を提供することである。
【課題を解決するための手段】
【０００７】
本発明の実施の形態に係る特徴は、エレベータの呼び登録装置において、エレベータを利用する利用者の生体情報を記憶する記憶部と、生体情報の登録を指示する入力操作を受け付ける登録操作部と、利用者から生体情報を読み取る情報読取部と、登録操作部に対する入力操作により生体情報の登録が指示されたか否かを判断する手段と、情報読取部による第１の読み取りにより読み取られた生体情報が、記憶部に記憶された生体情報に一致するか否かを判断する手段と、生体情報の登録が指示されたと判断した場合であって、第１の読み取りにより読み取られた生体情報が、記憶部に記憶された生体情報に一致すると判断した場合、情報読取部による第２の読み取りにより読み取られた生体情報を記憶部に登録する手段とを備えることである。
【発明の効果】
【０００８】
本発明によれば、セキュリティを保持しながら、生体情報の登録作業による登録者の負担を軽減することができる。
【発明を実施するための最良の形態】
【０００９】
（第１の実施の形態）
本発明の第１の実施の形態について図１ないし図７を参照して説明する。なお、本発明の第１の実施の形態は、エレベータの呼び登録装置をエレベータ１に適応した一適応例である。
【００１０】
図１に示すように、本発明の第１の実施の形態に係るエレベータ１は、各階にわたって昇降可能に設けられ、利用者が乗る乗りかご２と、その乗りかご２の昇降を制御するエレベータ制御盤３と、乗りかご２に設けられ、利用者による乗りかご２の行先階を指定する入力操作を受け付ける行先階操作部４と、各階の乗場にそれぞれ設けられ、利用者による乗りかご２の呼出階を指定する入力操作を受け付ける呼出階操作部５と、エレベータ１の運転モードを通常モード又は登録モードに切り替える入力操作を受け付ける登録操作部６と、利用者を特定する個人認証を行う認証装置７とを備えている。
【００１１】
乗りかご２は、各階にわたって昇降可能に昇降路内に設けられている。この乗りかご２には、ロープが接続されており、そのロープは巻上機により巻き上げられる。この巻上機はエレベータ制御盤３により駆動制御される。このような乗りかご２は、利用者を収容し、利用者を各階に搬送する。
【００１２】
エレベータ制御盤３は、乗りかご２が昇降する昇降路の上部に位置する機械室内に設けられている。このエレベータ制御盤３には、行先階操作部４、呼出階操作部５及び登録操作部６が電気的に接続されている。このようなエレベータ制御盤３は、行先階操作部４又は呼出階操作部５に対する入力操作により指定された行先階又は呼出階に基づいて、乗りかご２の昇降を制御する。特に、エレベータ制御盤３は、通常、乗りかご２の行先階を全て不停止階に設定しており、認証装置７により利用者が特定された場合だけ、特定された利用者の利用階に基づいて不停止階を解除し、呼び登録した行先階に基づいて乗りかご２の昇降を制御する。
【００１３】
行先階操作部４は、乗りかご２の行先階を指定する入力操作を受け付ける操作部である。この行先階操作部４は、行先階をそれぞれ示す複数の行先階ボタン４ａにより構成されている。このような行先階操作部４は、乗りかご２内に設けられており、利用者が希望する行先階を指定するとき、乗りかご２内に居る利用者により入力操作される。なお、行先階ボタン４ａは、ボタン灯を内蔵している。このボタン灯は、通常、対応する行先階ボタン４ａが入力操作された場合に点灯され、その行先階ボタン４ａが示す行先階が呼び登録されたことを利用者に対して報知する。
【００１４】
呼出階操作部５は、乗りかご２の呼出階を指定する入力操作を受け付ける操作部である。この呼出階操作部５は、上階への搬送を指示して乗りかご２を呼び出す上ボタン５ａ及び下階への搬送を指示して乗りかご２を呼び出す下ボタン５ｂにより構成されている。このような呼出階操作部５は、各階の乗場に設けられており、乗場で乗りかご２を呼び出す利用者により入力操作される。なお、上ボタン５ａ及び下ボタン５ｂは、ボタン灯をそれぞれ内蔵している。ボタン灯は、通常、対応する上ボタン５ａ又は下ボタン５ｂが入力操作された場合に点灯され、呼出階が呼び登録されたことを利用者に対して報知する。
【００１５】
登録操作部６は、利用者の生体情報の登録を指示する入力操作を受け付け、エレベータ１の運転モードを通常モードから登録モードに切り替え、また、利用者の生体情報の登録を解除する入力操作を受け付け、エレベータ１の運転モードを登録モードから通常モードに切り替える登録モードスイッチである。ここで、通常モードは通常の認証運転を行うモードであり、登録モードは利用者の生体情報の登録を行うモードである。この登録操作部６は、例えば、乗りかご２内や乗場等に設けられており、エレベータ制御盤３に電気的に接続されている。このような登録操作部６は、利用者の入力操作によりオン／オフされ、エレベータ制御盤３にオン／オフ信号を送信する。なお、本実施の形態では、オン信号が登録モードを指示する信号であり、オフ信号が通常モードを指示する信号である。
【００１６】
認証装置７は、利用者を管理するための管理情報である利用者データベースＤを格納する記憶部７ａと、利用者の生体情報Ｄ３を読み取る情報読取部７ｂと、その情報読取部７ｂにより読み取られた生体情報Ｄ３と利用者データベースＤとを比較して利用者を認証する認証判定部７ｃと、利用者データベースＤに基づいて利用者の利用階を判定する利用階判定部７ｄと、登録操作部６に対する入力操作により生体情報の登録が指示された場合、すなわち運転モードが登録モードに切り替えられた場合、利用者の生体情報を記憶部７ａに登録する登録処理部７ｅとを備えている。このような認証装置７は、エレベータ制御盤３に電気的に接続されている。
【００１７】
利用者データベースＤは、図２に示すように、利用者に関する利用者情報Ｄ１を利用者毎に有するデータの集合体である。利用者情報Ｄ１は、固有番号情報Ｄ２、生体情報Ｄ３、利用階情報Ｄ４、利用可否情報Ｄ５及び登録可否情報Ｄ６により構成されている。固有番号情報Ｄ２は、利用者を特定する固有のＩＤ番号（利用者ＩＤ）である。この固有番号情報Ｄ２は、生体情報Ｄ３、利用階情報Ｄ４、利用可否情報Ｄ５及び登録可否情報Ｄ６を関連付けている。生体情報Ｄ３は、例えば、指紋、静脈又は顔等の個人の生体情報であり、利用者の個人認証に必要な情報である。ここで、固有番号情報Ｄ２及び生体情報Ｄ３は、利用者を識別するための識別情報として機能する。利用階情報Ｄ４は、利用者の利用階、すなわち利用者が利用可能な階を示す情報であり、乗りかご２の不停止階解除階を設定するために用いる情報である。利用可否情報Ｄ５は、利用者がエレベータ１を利用して良いか否かを示す情報である。この利用可否情報Ｄ５は、一時的にエレベータ１の利用を禁止する場合等に用いられる。また、登録可否情報Ｄ６は、利用者が新たに生体情報を登録して良い操作者であるか否かを示す情報である。
【００１８】
この利用者データベースＤは、認証装置７に接続されたデータベース編集装置８により編集される。このデータベース編集装置８は、認証装置７に電気的に接続可能に形成されている。なお、データベース編集装置８は、通常、認証装置７に接続されておらず、必要なときに認証装置７に接続されて用いられる。このようなデータベース編集装置８は、図３に示すような編集画面Ｇ１を表示し、管理者等の操作者により入力操作され、記憶部７ａの利用者データベースＤに利用者情報Ｄ１を登録する。データベース編集装置８としては、例えばノートパソコン等を用いる。編集画面Ｇ１に示す白丸Ｍ１及び黒丸Ｍ２は、マウス等によりクリックすることによって反転する。なお、本実施の形態では、黒丸Ｍ２は、利用階情報Ｄ４においてその階床が利用階として設定されていることを示し、利用可否情報Ｄ５において利用可を示し、登録可否情報Ｄ６において登録可を示す。
【００１９】
記憶部７ａは、利用者データベースＤ、すなわち利用者毎の利用者情報Ｄ１を記憶する格納部である。この記憶部７ａとしては、例えばハードディスクやフラッシュメモリ等を用いる。ここで、例えば、記憶部７ａとして、着脱可能な記憶部７ａを用いた場合には、データベース編集装置８をエレベータ１まで持ち歩く必要がなくなるので、管理者等の操作者の負担を軽減することができ、さらに、記憶部７ａの交換作業中だけエレベータ１の運転を停止すればよく、利用者データベースＤに対する編集作業中、エレベータ１の運転を停止する必要がなくなるので、エレベータ１の停止時間を短縮することができる。
【００２０】
情報読取部７ｂは、利用者を認証するために必要な生体情報Ｄ３を読み取る読取装置である。この情報読取部７ｂは、例えば、登録操作部６の近傍に位置付けられて乗りかご２内や乗場等に設けられている。生体情報としては、例えば、指紋情報、手等の静脈パターン情報、顔画像情報、目の虹彩情報及び目の網膜情報等が挙げられる。したがって、情報読取部７ｂとしては、前述のような生体情報を読み取る読取装置を用いる。このような情報読取部７ｂは、利用者から生体情報Ｄ３を読み取り、その生体情報Ｄ３を利用階判定部７ｄに送信する。
【００２１】
認証判定部７ｃは、情報読取部７ｂから送信された生体情報Ｄ３と、記憶部７ａの利用者データベースＤに記憶された利用者毎の生体情報Ｄ３とを比較し、情報読取部７ｂから送信された生体情報Ｄ３が利用者データベースＤの利用者毎の生体情報Ｄ３内にあるか否かを判断する判定部である。
【００２２】
この認証判定部７ｃは、エレベータ１の運転モードが通常モードである場合、情報読取部７ｂから送信された生体情報Ｄ３が利用者データベースＤの利用者毎の生体情報Ｄ３内にあると判断すると、情報読取部７ｂから送信された生体情報Ｄ３に基づいて、利用者データベースＤから利用者の固有番号情報Ｄ２（例えば、利用者ＩＤ）を取得し、取得した固有番号情報Ｄ２を利用階判定部７ｄに送信する。
【００２３】
一方、認証判定部７ｃは、エレベータ１の運転モードが登録モードである場合、第１の読み取りにより情報読取部７ｂから送信された生体情報Ｄ３が利用者データベースＤの利用者毎の生体情報Ｄ３内にあると判断すると、情報読取部７ｂから送信された生体情報Ｄ３に基づいて、利用者データベースＤから利用者の固有番号情報Ｄ２（例えば、利用者ＩＤ）を取得し、取得した固有番号情報Ｄ２を登録処理部７ｅに送信する。その後、認証判定部７ｃは、情報読取部７ｂによる第２の読み取りにより読み取られた生体情報Ｄ３をそのまま登録処理部７ｅに送信する。
【００２４】
利用階判定部７ｄは、認証判定部７ｃから送信された固有番号情報Ｄ２に基づいて、記憶部７ａの利用者データベースＤから利用者情報Ｄ１、すなわち利用階情報Ｄ４を取得し、取得した利用階情報Ｄ４に基づいて乗りかご２の不停止解除階を設定し、その不停止解除階をエレベータ制御盤３に通知する。
【００２５】
登録処理部７ｅは、認証判定部７ｃから送信された固有番号情報Ｄ２に基づいて、記憶部７ａの利用者データベースＤから利用者情報Ｄ１、すなわち利用階情報Ｄ４、利用可否情報Ｄ５及び登録可否情報Ｄ６を取得する。その後、登録処理部７ｅは、固有番号情報Ｄ２を自動生成し、その固有番号情報Ｄ２に関連付けて、認証判定部７ｃから送信された生体情報Ｄ３と、取得した利用階情報Ｄ４、利用可否情報Ｄ５及び登録可否情報Ｄ６とを利用者データベースＤに登録する。
【００２６】
次に、このようなエレベータ１の利用階判定処理及び生体情報登録処理について説明する。エレベータ１が備える認証装置７が利用階判定処理及び生体情報登録処理を実行する。なお、通常、エレベータ１の行先階操作部４に対する入力操作は無効にされている。すなわち、行先階操作部４の行先階ボタン４ａが示す行先階は不停止階として設定されている。
【００２７】
図４に示すように、認証判定部７ｃは、運転モードが通常モードであるか否かを判断する（ステップＳ１）。ここで、運転モードは、登録操作部６の登録モードスイッチがオフ状態である場合、通常モードになっている。なお、登録モードスイッチのオン／オフ状態は、エレベータ制御盤３から通知される。
【００２８】
運転モードが通常モードであると判断した場合には（ステップＳ１のＹＥＳ）、情報読取部７ｂから生体情報Ｄ３を取得し（ステップＳ２）、その生体情報Ｄ３を検索キーとし、記憶部７ａの利用者データベースＤを検索する（ステップＳ３）。次いで、取得した生体情報Ｄ３が記憶部７ａの利用者データベースＤの生体情報Ｄ３に一致するか否か、すなわち、取得した生体情報Ｄ３が記憶部７ａの利用者データベースＤに登録されているか否かを判断する（ステップＳ４）。これにより、利用者の個人認証が行われる。
【００２９】
取得した生体情報Ｄ３が記憶部７ａの利用者データベースＤに登録されていると判断した場合には（ステップＳ４のＹＥＳ）、取得した生体情報Ｄ３に対応する利用者情報Ｄ１を記憶部７ａの利用者データベースＤから取得し（ステップＳ５）、取得した利用者情報Ｄ１内の利用可否情報Ｄ５に基づいて利用者がエレベータ１を利用して良いか否かを判断する（ステップＳ６）。一方、取得した生体情報Ｄ３が記憶部７ａの利用者データベースＤに登録されていないと判断した場合には（ステップＳ４のＮＯ）、そのまま処理を終了する。
【００３０】
利用者がエレベータ１を利用して良いと判断した場合には（ステップＳ６のＹＥＳ）、取得した利用者情報Ｄ１内の固有番号情報Ｄ２（例えば、利用者ＩＤ）を利用階判定部７ｄに送信する（ステップＳ７）。一方、利用者がエレベータ１を利用してはいけないと判断した場合には（ステップＳ６のＮＯ）、処理を終了する。
【００３１】
図５に示すように、利用階判定部７ｄは、認証判定部７ｃから固有番号情報Ｄ２（例えば、利用者ＩＤ）を取得し（ステップＳ１１）、その固有番号情報Ｄ２を含む利用者情報Ｄ１を記憶部７ａの利用者データベースＤから取得する（ステップＳ１２）。次いで、記憶部７ａの利用者データベースＤから利用階情報Ｄ４が取得されたか否か、すなわち、取得した利用者情報Ｄ１内に利用階情報Ｄ４があるか否かを判断する（ステップＳ１３）。
【００３２】
取得した利用者情報Ｄ１内に利用階情報Ｄ４があると判断した場合には（ステップＳ１３のＹＥＳ）、その利用階情報Ｄ４が示す利用階を乗りかご２の不停止解除階として設定し、その不停止解除階をエレベータ制御盤３に通知し（ステップＳ１４）、処理を終了する。一方、取得した利用者情報Ｄ１内に利用階情報Ｄ４がないと判断した場合には（ステップＳ１３のＮＯ）、そのまま処理を終了する。
【００３３】
このような利用階判定処理により、利用者に応じて、利用階が不停止解除階としてエレベータ制御盤３に送信される。なお、エレベータ制御盤３は、送信された不停止解除階を呼び登録可能階に設定し、その呼び登録可能階であって行先階操作部４に対する入力操作により押下された行先階ボタン４ａの行先階を呼び登録する。
【００３４】
図６に示すように、認証判定部７ｃは、運転モードが登録モードであるか否かを判断する（ステップＳ２１）。ここで、運転モードは、登録操作部６の登録モードスイッチがオン状態である場合、登録モードになっている。なお、登録モードスイッチのオン／オフ状態は、エレベータ制御盤３から通知される。
【００３５】
運転モードが登録モードであると判断した場合には（ステップＳ２１のＹＥＳ）、情報読取部７ｂから生体情報Ｄ３を取得し（ステップＳ２２）、取得した生体情報Ｄ３が情報読取部７ｂによる第１の読み取りにより読み取られた生体情報Ｄ３であるか否かを判断する。なお、運転モードが登録モードに移行した後、情報読取部７ｂによる１回目の読み取りが第１の読み取りであり、情報読取部７ｂによる２回目の読み取りが第２の読み取りである。
【００３６】
取得した生体情報Ｄ３が情報読取部７ｂによる第１の読み取りにより読み取られた生体情報Ｄ３であると判断した場合には（ステップＳ２３のＹＥＳ）、その生体情報Ｄ３を検索キーとし、記憶部７ａの利用者データベースＤを検索する（ステップＳ２４）。次いで、取得した生体情報Ｄ３が記憶部７ａの利用者データベースＤの生体情報Ｄ３に一致するか否か、すなわち、取得した生体情報Ｄ３が記憶部７ａの利用者データベースＤに登録されているか否かを判断する（ステップＳ２５）。これにより、利用者の個人認証が行われる。
【００３７】
取得した生体情報Ｄ３が記憶部７ａの利用者データベースＤに登録されていると判断した場合には（ステップＳ２５のＹＥＳ）、取得した生体情報Ｄ３に対応する利用者情報Ｄ１を記憶部７ａの利用者データベースＤから取得し（ステップＳ２６）、取得した利用者情報Ｄ１内の登録可否情報Ｄ６に基づいて利用者が新たに生体情報Ｄ３を登録して良い操作者であるか否かを判断する（ステップＳ２７）。一方、取得した生体情報Ｄ３が記憶部７ａの利用者データベースＤに登録されていないと判断した場合には（ステップＳ２５のＮＯ）、そのまま処理を終了する。
【００３８】
利用者が生体情報Ｄ３を登録して良い操作者であると判断した場合には（ステップＳ２７のＹＥＳ）、登録許可を示す登録フラグを立て、すなわち登録フラグをオンし（ステップＳ２８）、取得した利用者情報Ｄ１内の固有番号情報Ｄ２（例えば、利用者ＩＤ）を登録処理部７ｅに送信する（ステップＳ２９）。一方、利用者が生体情報Ｄ３を登録してはいけない操作者であると判断した場合には（ステップＳ２７のＮＯ）、そのまま処理を終了する。
【００３９】
また、取得した生体情報Ｄ３が情報読取部７ｂによる第１の読み取りにより読み取られた生体情報Ｄ３でない、すなわち、取得した生体情報Ｄ３が情報読取部７ｂによる第２の読み取りにより読み取られた生体情報Ｄ３であると判断した場合には（ステップＳ２３のＮＯ）、登録フラグが立っているか否か、すなわち登録フラグがオンであるか否かを判断する（ステップＳ３０）。登録フラグがオンであると判断した場合には（ステップＳ３０のＹＥＳ）、第２の読み取りにより読み取られた生体情報Ｄ３を登録処理部７ｅに送信し（ステップＳ３１）、その後、登録フラグをオフにし（ステップＳ３２）、処理を終了する。一方、登録フラグがオンでないと判断した場合には（ステップＳ３０のＮＯ）、そのまま処理を終了する。
【００４０】
図７に示すように、登録処理部７ｅは、認証判定部７ｃから固有番号情報Ｄ２（例えば、利用者ＩＤ）を取得し（ステップＳ４１）、さらに、認証判定部７ｃから生体情報Ｄ３を取得する（ステップＳ４２）。この生体情報Ｄ３は、情報読取部７ｂによる第２の読み取りにより読み取られた生体データである。なお、認証判定部７ｃから送信される固有番号情報Ｄ２は、登録処理部７ｅに対して登録許可を与える情報として機能する。
【００４１】
その後、登録処理部７ｅは、取得した固有番号情報Ｄ２を含む利用者情報Ｄ１を記憶部７ａの利用者データベースＤから取得し（ステップＳ４３）、次いで、固有番号情報Ｄ２を自動生成し、その固有番号情報Ｄ２に関連付けて、取得した生体情報Ｄ３と、取得した利用者情報Ｄ１内の利用階情報Ｄ４、利用可否情報Ｄ５及び登録可否情報Ｄ６とを利用者データベースＤに登録する（ステップＳ４４）。
【００４２】
このような生体情報登録処理により、新たな利用者の利用者情報Ｄ１が記憶部７ａの利用者データベースＤに登録される。すなわち、登録済の利用者が個人認証され、その利用者が特定された場合だけ、新たな利用者の生体情報Ｄ３が記憶部７ａの利用者データベースＤに追加登録される。
【００４３】
ここで、通常、運転モードは通常モードに設定されている。このように運転モードが通常モードである場合、固有番号情報Ｄ２の利用者ＩＤが１である利用者（図２参照）が生体情報Ｄ３を情報読取部７ｂに読み取らせると、その生体情報Ｄ３に関連する利用階情報Ｄ４が示す利用階は２階から１０階であり、関連する利用可否情報Ｄ５が利用可であるため、認証装置７は、２階から１０階を不停止解除階とし、かご呼び登録可能階に設定する。次いで、利用者が、２階から１０階をそれぞれ示す各行先階ボタン４ａのどれか一つを押下すると、押下された行先階ボタン４ａが点灯され、その行先階ボタン４ａが示す行先階が呼び登録される。これにより、乗りかご２は、予め設定された利用階の中で利用者が希望する希望階に利用者を搬送する。
【００４４】
また、固有番号情報Ｄ２の利用者ＩＤが１である利用者（図２参照）が新たな利用者を登録する場合には、運転モードが通常モードから登録モードに切り替えられる。このとき、利用者は、登録操作部６を操作し、運転モードを通常モードから登録モードに移行させ、生体情報Ｄ３を情報読取部７ｂに読み取らせる（第１の読み取り）。その後、新たな利用者が生体情報Ｄ３を情報読取部７ｂに読み取らせる（第２の読み取り）。利用者ＩＤが１である利用者が生体情報Ｄ３を情報読取部７ｂに読み取らせると、認証装置７は、その第１の読み取りにより読み取った生体情報Ｄ３を含む利用者情報Ｄ１を取得し、取得した利用者情報Ｄ１内の登録可否情報Ｄ６が登録可であるため、その利用者による登録を許可する。その後、認証装置７は、利用者ＩＤを自動生成し、その利用者ＩＤに関連付けて、第２の読み取りにより読み取られた生体情報Ｄ３と、登録済の利用者ＩＤを含む利用者情報Ｄ１内の利用階情報Ｄ４、利用可否情報Ｄ５及び登録可否情報Ｄ６とを記憶部７ａの利用者データベースＤに登録する。
【００４５】
このようにして、登録済の利用者であれば、誰でも登録者として、新たな利用者の生体情報Ｄ３を利用者データベースＤに追加登録することが可能になる。これにより、例えば、マンションやオフィスビル等において、家族構成や従業員構成等が変わった場合や、利用者の増減があった場合等、建物の管理者を煩わすことなく、新規の利用者の生体情報Ｄ３を追加登録することができ、さらに、登録済の利用者の他の生体情報Ｄ３も登録することができる。すなわち、管理者以外の利用者が登録作業を行うことが可能になるので、登録作業が分散され、管理者の手間を削減することができる。加えて、パスワードや鍵等を用いる場合に比べ、登録前に必ず個人認証が行われ、登録者が特定されるので、セキュリティを向上させることができる。
【００４６】
以上説明したように、第１の実施の形態によれば、登録操作部６に対する入力操作により利用者の生体情報Ｄ３の登録が指示されたか否かを判断し、さらに、情報読取部７ｂによる第１の読み取りにより読み取られた生体情報Ｄ３が、記憶部７ａに記憶された生体情報Ｄ３と一致するか否かを判断し、生体情報Ｄ３の登録が指示されたと判断した場合であって、第１の読み取りにより読み取られた生体情報Ｄ３が、記憶部７ａに記憶された生体情報Ｄ３と一致すると判断した場合、情報読取部７ｂによる第２の読み取りにより読み取られた生体情報Ｄ３を記憶部７ａに登録することによって、登録者となる利用者が個人認証され、その利用者が特定された場合だけ、新たな利用者の生体情報Ｄ３が記憶部７ａに登録されるので、登録済の利用者が新たな利用者の生体情報Ｄ３を登録する場合でも、セキュリティを保持することができる。さらに、特定された登録済の利用者は登録操作部６を操作するだけの簡単な登録作業を行えばよいので、生体情報Ｄ３の登録作業による登録者の負担を軽減することができる。
【００４７】
加えて、記憶部７ａは、生体情報Ｄ３に関連付けられた情報であって利用者が利用する利用階を示す利用階情報Ｄ４を記憶し、さらに、第１の読み取りにより読み取られた生体情報Ｄ３に関連する利用階情報Ｄ４と第２の読み取りにより読み取られた生体情報Ｄ３とを関連付けて記憶部７ａに登録することから、利用階情報Ｄ４は生体情報Ｄ３に関連付けられてその生体情報Ｄ３と共に記憶部７ａに自動的に登録され、管理者がデータベース編集装置８により後から利用階情報Ｄ４を設定する必要がなくなるので、管理者の負担を軽減することができる。さらに、管理者がデータベース編集装置８により利用階情報Ｄ４を設定する場合に発生するデータ入力ミスを防止することもでき、加えて、利用者が利用階情報Ｄ４を設定することを可能にした場合のセキュリティの低下も防止することができる。
【００４８】
また、記憶部７ａは、生体情報Ｄ３に関連付けられた情報であって生体情報Ｄ３の登録の可否を示す登録可否情報Ｄ６を記憶し、さらに、第１の読み取りにより読み取られた生体情報Ｄ３に関連する登録可否情報Ｄ６が登録可であるか否かを判断し、登録可否情報Ｄ６が登録可であると判断した場合、第２の読み取りにより読み取られた生体情報Ｄ３を記憶部７ａに登録することから、個人認証による登録許可に加え、登録可否情報Ｄ６に基づく登録許可が行われるので、セキュリティを向上させることができる。さらに、登録可否情報Ｄ６の設定を変更することにより、利用者に登録許可を自由に付与することが可能になるので、管理者による利用者の管理を簡略にすることができる。
【００４９】
また、第１の読み取りにより読み取られた生体情報Ｄ３に関連する登録可否情報Ｄ６と第２の読み取りにより読み取られた生体情報Ｄ３とを関連付けて記憶部７ａに登録することから、登録可否情報Ｄ６は、生体情報Ｄ３に関連付けられてその生体情報Ｄ３と共に記憶部７ａに自動的に登録され、管理者がデータベース編集装置８により後から登録可否情報Ｄ６を設定する必要がなくなるので、管理者の負担を軽減することができる。さらに、管理者がデータベース編集装置８により登録可否情報Ｄ６を設定する場合に発生するデータ入力ミスを防止することもできる。
【００５０】
（第２の実施の形態）
本発明の第２の実施の形態について図８を参照して説明する。
【００５１】
本発明の第２の実施の形態では、第１の実施の形態と異なる部分、すなわち、利用者情報Ｄ１の内容について説明する。なお、第１の実施の形態で説明した部分と同一部分は同一符号で示し、その説明は省略する（他の実施の形態も同様である）。
【００５２】
利用者情報Ｄ１は、固有番号情報Ｄ２、生体情報Ｄ３、利用階情報Ｄ４、利用可否情報Ｄ５及び登録可否情報Ｄ６に加え、図８に示すように、登録者の固有番号情報Ｄ２を示す登録者情報Ｄ７と、生体情報Ｄ３の登録履歴を示す履歴情報Ｄ８とにより構成されている。
【００５３】
登録者情報Ｄ７は、その登録者情報Ｄ７が含まれる利用者情報Ｄ１を登録した登録者を示す情報である。これにより、新たな利用者情報Ｄ１がどの利用者により登録されたかを判断することが可能になるので、登録者を特定することができる。
【００５４】
履歴情報Ｄ８は、生体情報Ｄ３の登録に関する履歴を示す情報である。この履歴情報Ｄ８は、例えば、登録した時の時刻や登録に用いた登録機器等の情報である。これにより、新たな利用者情報Ｄ１が、いつ、どの登録機器で登録されたか等を判断することが可能になるので、利用者情報Ｄ１の登録履歴を確認することができる。なお、登録機器は、情報読取部７ｂやデータベース編集装置８である。
【００５５】
ここで、図７に示すステップＳ４４では、自動生成した固有番号情報Ｄ２に関連付けて、取得した生体情報Ｄ３と、取得した利用者情報Ｄ１内の利用階情報Ｄ４、利用可否情報Ｄ５及び登録可否情報Ｄ６に加え、取得した利用者情報Ｄ１内の固有番号情報Ｄ２（すなわち、登録者の固有番号情報Ｄ２）、さらに、履歴情報Ｄ８を利用者データベースＤに登録する。
【００５６】
図８に示す編集画面Ｇ１によれば、固有番号情報Ｄ２の利用者ＩＤが「０００１」である利用者の利用者情報Ｄ１は、２００５年１２月３日、１０：００にデータベース編集装置８を用いて登録されたことが確認される。この利用者が管理者である。利用者ＩＤが「０００２」である利用者の利用者情報Ｄ１は、２００５年１２月３日、１１：００に情報読取部７ｂを用いて利用者ＩＤが「０００１」である利用者により追加登録されたことが確認される。利用者ＩＤが「０００３」である利用者の利用者情報Ｄ１は、２００５年１２月３日、１１：０１にデータベース編集装置８を用いて利用者ＩＤが「０００１」である利用者により追加登録されたことが確認される。また、利用者ＩＤが「０００３」である利用者の利用者情報Ｄ１は、２００５年１２月５日、１５：００にデータベース編集装置８を用いて利用者ＩＤが「０００２」である利用者により追加登録されたことが確認される。
【００５７】
以上説明したように、第２の実施の形態によれば、第１の実施の形態と同様の効果を得ることができる。また、第１の読み取りにより読み取られた生体情報Ｄ３に関連付けて、第２の読み取りにより読み取られた生体情報Ｄ３を記憶部７ａに登録することから、新たな利用者の生体情報Ｄ３が、例えば登録者の固有番号情報Ｄ２を示す登録者情報Ｄ７により、登録者の生体情報Ｄ３に関連付けて登録されるので、その新たな利用者の生体情報Ｄ３がどの登録者により登録されたのかを確認することができる。その結果として、管理者による利用者の管理を簡略にすることができる。
【００５８】
さらに、第２の読み取りにより読み取られた生体情報Ｄ３に関連付けて、第２の読み取りが行われた生体情報の登録履歴に関する履歴情報Ｄ８を記憶部７ａに登録することから、履歴情報Ｄ８は生体情報Ｄ３に関連付けられてその生体情報Ｄ３と共に記憶部７ａに登録されるので、後から、新たな生体情報Ｄ３の登録履歴を確認することが可能になるので、管理者は自分以外の利用者が登録した新たな利用者の登録履歴を把握することができる。その結果として、管理者による利用者の管理を簡略にすることができる。
【００５９】
（第３の実施の形態）
本発明の第３の実施の形態について図９及び図１０を参照して説明する。なお、本発明の第３の実施の形態では、第１の実施の形態と異なる部分、すなわち、利用者情報Ｄ１の内容及び生体情報登録処理の一部について説明する。
【００６０】
利用者情報Ｄ１は、固有番号情報Ｄ２、生体情報Ｄ３、利用階情報Ｄ４、利用可否情報Ｄ５及び登録可否情報Ｄ６に加え、図９に示すように、登録者の固有番号情報Ｄ２を示す登録者情報Ｄ７により構成されている。
【００６１】
登録者情報Ｄ７は、その登録者情報Ｄ７が含まれる利用者情報Ｄ１を登録した登録者を示す情報である。これにより、新たな利用者情報Ｄ１がどの利用者により登録されたかを判断することが可能になるので、登録者を特定することができる。
【００６２】
図１０に示すように、登録処理部７ｅは、認証判定部７ｃから固有番号情報Ｄ２（例えば、利用者ＩＤ）を取得し（ステップＳ５１）、さらに、認証判定部７ｃから生体情報Ｄ３を取得する（ステップＳ５２）。この生体情報Ｄ３は、情報読取部７ｂによる第２の読み取りにより読み取られた生体データである。なお、認証判定部７ｃから送信される固有番号情報Ｄ２は、登録処理部７ｅに対して登録許可を与える情報として機能する。
【００６３】
その後、登録処理部７ｅは、取得した固有番号情報Ｄ２を含む利用者情報Ｄ１を記憶部７ａの利用者データベースＤから取得し（ステップＳ５３）、次いで、その利用者情報Ｄ１の利用者が管理者であるか否か、すなわち、取得した利用者情報Ｄ１内に登録者情報Ｄ７があるか否かを判断する（ステップＳ５４）。なお、登録者情報Ｄ７がない利用者情報Ｄ１の利用者が管理者である。
【００６４】
取得した利用者情報Ｄ１内に登録者情報Ｄ７がないと判断した場合には（ステップＳ５４のＮＯ）、固有番号情報Ｄ２の利用者ＩＤを自動生成し、その利用者ＩＤに関連付けて、取得した生体情報Ｄ３と、取得した利用者情報Ｄ１内の利用階情報Ｄ４及び利用可否情報Ｄ５に加え、登録可を示す登録可否情報Ｄ６を利用者データベースＤに登録する（ステップＳ５５）。
【００６５】
一方、取得した利用者情報Ｄ１内に登録者情報Ｄ７があると判断した場合には（ステップＳ５４のＹＥＳ）、固有番号情報Ｄ２の利用者ＩＤを自動生成し、その利用者ＩＤに関連付けて、取得した生体情報Ｄ３と、取得した利用者情報Ｄ１内の利用階情報Ｄ４及び利用可否情報Ｄ５に加え、登録否を示す登録可否情報Ｄ６を利用者データベースＤに登録する（ステップＳ５６）。
【００６６】
ここで、図９に示す編集画面Ｇ１によれば、固有番号情報Ｄ２の利用者ＩＤが「０００１」である利用者が管理者である。利用者ＩＤが「０００２」である利用者の利用者情報Ｄ１は、利用者ＩＤが「０００１」である利用者により登録されており、登録可の利用者であることが確認される。利用者ＩＤが「０００３」である利用者の利用者情報Ｄ１は、利用者ＩＤが「０００１」である利用者により登録されており、登録可の利用者であることが確認される。利用者ＩＤが「０００４」である利用者の利用者情報Ｄ１は、利用者ＩＤが「０００２」である利用者により登録されており、登録否の利用者であることが確認される。また、利用者ＩＤが「０００５」である利用者の利用者情報Ｄ１は、利用者ＩＤが「０００２」である利用者により登録されており、登録否の利用者であることが確認される。
【００６７】
以上説明したように、第３の実施の形態によれば、第１の実施の形態と同様の効果を得ることができる。また、第１の読み取りにより読み取られた生体情報Ｄ３を有する利用者が管理者であるか否かを判断し、利用者が管理者であると判断した場合、登録可を示す登録可否情報Ｄ６と、第２の読み取りにより読み取られた生体情報Ｄ３とを関連付けて記憶部７ａに登録し、利用者が管理者でないと判断した場合、登録否を示す登録可否情報Ｄ６と、第２の読み取りにより読み取られた生体情報Ｄ３とを関連付けて記憶部７ａに登録することから、管理者により登録された登録済の利用者だけが登録者となるので、登録済の利用者なら誰でも登録することができなくなり、セキュリティを向上させることができる。
【００６８】
さらに、登録可否情報Ｄ６は、生体情報Ｄ３に関連付けられてその生体情報Ｄ３と共に記憶部７ａに自動的に登録され、管理者がデータベース編集装置８により後から登録可否情報Ｄ６を設定する必要がなくなるので、管理者の負担を軽減することができ、さらに、管理者がデータベース編集装置８により登録可否情報Ｄ６を設定する場合に発生するデータ入力ミスを防止することもできる。
【００６９】
（第４の実施の形態）
本発明の第４の実施の形態について図１１及び図１２を参照して説明する。なお、本発明の第４の実施の形態では、第３の実施の形態と異なる部分、すなわち、利用階判定処理について説明する。
【００７０】
利用者情報Ｄ１は、第３の実施の形態と同様に、固有番号情報Ｄ２、生体情報Ｄ３、利用階情報Ｄ４、利用可否情報Ｄ５及び登録可否情報Ｄ６に加え、図１１に示すように、登録者の固有番号情報Ｄ２を示す登録者情報Ｄ７により構成されている。
【００７１】
ここで、図１１に示す編集画面Ｇ１によれば、固有番号情報Ｄ２の利用者ＩＤが「０００１」である利用者は、利用階が２階から１０階であり、利用可及び登録可の管理者であることが確認される。利用者ＩＤが「０００２」である利用者の利用者情報Ｄ１は、利用者ＩＤが「０００１」である利用者により登録されており、利用階が２階から５階であり、利用可及び登録可の利用者であることが確認される。利用者ＩＤが「０００３」である利用者の利用者情報Ｄ１は、利用者ＩＤが「０００１」である利用者により登録されており、利用階が６階から１０階であり、利用可及び登録可の利用者であることが確認される。利用者ＩＤが「０００４」である利用者の利用者情報Ｄ１は、利用者ＩＤが「０００２」である利用者により登録されており、利用階情報Ｄ４がなく、利用可及び登録否の利用者であることが確認される。また、利用者ＩＤが「０００５」である利用者の利用者情報Ｄ１は、利用者ＩＤが「０００３」である利用者により登録されており、利用階情報Ｄ４がなく、利用可及び登録否の利用者であることが確認される。
【００７２】
なお、利用者ＩＤが「０００４」である利用者の利用者情報Ｄ１は、利用者ＩＤが「０００２」である利用者により登録された情報であるため、利用者ＩＤが「０００４」である利用者の利用階は、利用者ＩＤが「０００２」である利用者の利用階情報Ｄ４が示す２階から５階となる。また、利用者ＩＤが「０００５」である利用者の利用者情報Ｄ１は、利用者ＩＤが「０００３」である利用者により登録された情報であるため、利用者ＩＤが「０００５」である利用者の利用階は、利用者ＩＤが「０００３」である利用者の利用階情報Ｄ４が示す６階から１０階となる。
【００７３】
図１２に示すように、利用階判定部７ｄは、認証判定部７ｃから固有番号情報Ｄ２（例えば、利用者ＩＤ）を取得し（ステップＳ６１）、その固有番号情報Ｄ２を含む利用者情報Ｄ１を記憶部７ａの利用者データベースＤから取得する（ステップＳ６２）。次いで、記憶部７ａの利用者データベースＤから利用階情報Ｄ４が取得されたか否か、すなわち、取得した利用者情報Ｄ１内に利用階情報Ｄ４があるか否かを判断する（ステップＳ６３）。
【００７４】
取得した利用者情報Ｄ１内に利用階情報Ｄ４があると判断した場合には（ステップＳ６３のＹＥＳ）、その利用階情報Ｄ４が示す利用階を乗りかご２の不停止解除階として設定し、その不停止解除階をエレベータ制御盤３に通知し（ステップＳ６４）、処理を終了する。
【００７５】
一方、取得した利用者情報Ｄ１内に利用階情報Ｄ４がないと判断した場合には（ステップＳ６３のＮＯ）、取得した利用者情報Ｄ１内の登録者の利用者ＩＤを含む利用者情報Ｄ１を取得し（ステップＳ６５）、取得した登録者の利用者情報Ｄ１内に利用階情報Ｄ４があるか否かを判断する（ステップＳ６６）。
【００７６】
取得した登録者の利用者情報Ｄ１内に利用階情報Ｄ４があると判断した場合には（ステップＳ６６のＹＥＳ）、処理をステップＳ６４に進める。一方、取得した利用者情報Ｄ１内に利用階情報Ｄ４がないと判断した場合には（ステップＳ６６のＮＯ）、そのまま処理を終了する。なお、エレベータ制御盤３は、送信された不停止解除階を呼び登録可能階に設定し、その呼び登録可能階であって行先階操作部４に対する入力操作により押下された行先階ボタン４ａの行先階を呼び登録する。
【００７７】
以上説明したように、第４の実施の形態によれば、第３の実施の形態と同様の効果を得ることができる。また、記憶部７ａは、生体情報Ｄ３に関連付けられた情報であって利用者が利用する利用階を示す利用階情報Ｄ４を記憶し、さらに、第１の読み取りにより読み取られた生体情報Ｄ３に関連する利用階情報Ｄ４に関連付けて、第２の読み取りにより読み取られた生体情報Ｄ３を記憶部７ａに登録することから、新たな利用者の生体情報Ｄ３は、例えば登録者の固有番号情報Ｄ２を示す登録者情報Ｄ７により、登録者の利用階情報Ｄ４に関連付けて登録されるので、新たな利用者の利用階を判定する場合、登録済の利用者の利用階情報Ｄ４を用いることが可能になるので、新たな利用者の生体情報Ｄ３に関連付けて利用階情報Ｄ４を登録する必要がなくなり、記憶部７ａの記憶容量不足の発生を抑えることができる。
【００７８】
さらに、新たな利用者の生体情報Ｄ３は、登録者の利用階情報Ｄ４に関連付けられて自動的に記憶部７ａに登録されるので、管理者がデータベース編集装置８により後から利用階情報Ｄ４を設定する必要がなくなるので、管理者の負担を軽減することができ、さらに、管理者がデータベース編集装置８により利用階情報Ｄ４を設定する場合に発生するデータ入力ミスを防止することもできる。
【００７９】
（他の実施の形態）
なお、本発明は、前述の実施の形態に限るものではなく、その要旨を逸脱しない範囲において種々変更可能である。
【００８０】
例えば、前述の実施の形態においては、登録操作部６を行先階操作部４や呼出階操作部５と別に新たに設けているが、これに限るものではなく、例えば、登録操作部６として、行先階操作部４の各行先階ボタン４ａ、呼出階操作部５の上ボタン５ａ及び下ボタン５ｂ、戸開ボタン、又は戸閉ボタン等を用いるようにしてもよい。このときには、呼出階操作部５の上ボタン５ａや下ボタン５ｂ等を所定時間以上押した場合、戸開ボタンを所定時間以上押した場合、２つ以上のボタンを同時に押下した場合、あるいは、前述のボタンの押下と同時に情報読取部７ｂによる生体情報Ｄ３の読み取りを行った場合等に、運転モードを登録モードに移行するようにする。このようにして、新たに登録操作部６を設ける必要がなくなるので、部品点数を削減することができ、さらに、運転モードを切り替える切替操作を知る利用者だけが、運転モードを通常モードから登録モードに移行させることが可能になるので、セキュリティをより向上させることができる。
【図面の簡単な説明】
【００８１】
【図１】本発明の第１の実施の形態に係るエレベータの概略構成を示す模式図である。
【図２】図１に示すエレベータが備える記憶部の利用者データベースを説明するための説明図である。
【図３】図２に示す利用者データベースを編集するデータベース編集装置が表示する編集画面の一例を説明するための説明図である。
【図４】図１に示すエレベータの利用階判定処理の流れの一部を示すフローチャートである。
【図５】図１に示すエレベータの利用階判定処理の流れの一部を示すフローチャートである。
【図６】図１に示すエレベータの生体情報登録処理の流れの一部を示すフローチャートである。
【図７】図１に示すエレベータの生体情報登録処理の流れの一部を示すフローチャートである。
【図８】本発明の第２の実施の形態に係るエレベータが備える記憶部の利用者データベースを編集するデータベース編集装置が表示する編集画面の一例を説明するための説明図である。
【図９】本発明の第３の実施の形態に係るエレベータが備える記憶部の利用者データベースを編集するデータベース編集装置が表示する編集画面の一例を説明するための説明図である。
【図１０】本発明の第３の実施の形態に係るエレベータの生体情報登録処理の流れの一部を示すフローチャートである。
【図１１】本発明の第４の実施の形態に係るエレベータが備える記憶部の利用者データベースを編集するデータベース編集装置が表示する編集画面の一例を説明するための説明図である。
【図１２】本発明の第４の実施の形態に係るエレベータの利用階判定処理の流れの一部を示すフローチャートである。
【符号の説明】
【００８２】
１      エレベータ
２      乗りかご
４ａ    行先階ボタン
５ａ    呼出階ボタン
５ｂ    呼出階ボタン
６      登録操作部
７ａ    記憶部
７ｂ    情報読取部
Ｄ３    生体情報
Ｄ４    利用階情報
Ｄ６    登録可否情報
【図１】
2008050067.tif 000003
【図２】
2008050067.tif 000004
【図３】
2008050067.tif 000005
【図４】
2008050067.tif 000006
【図５】
2008050067.tif 000007
【図６】
2008050067.tif 000008
【図７】
2008050067.tif 000009
【図８】
2008050067.tif 000010
【図９】
2008050067.tif 000011
【図１０】
2008050067.tif 000012
【図１１】
2008050067.tif 000013
【図１２】
2008050067.tif 000014